(57)【要約】【課題】ネットワーク機器に適切に対応することができる設備制御システムを提供する。【解決手段】本発明の設備制御システムは、ユーザを識別するためのユーザ識別情報と、そのユーザが所定の場所に位置しているか否かを示す在否情報と、その場所内でそのユーザが配置されている領域を表す配置情報とを対応付けて複数組記憶する位置情報記憶部に記憶されている所定の情報を読み込む情報読込部と、情報読込部が読み込んだ情報に基づき、所定の場所に位置していることを示す状態の在否情報が１つも対応付けられていない配置情報が表す領域、にのみ対応付けられている設備の動作を停止させる制御を行う制御部とを備える。【選択図】図１
2016072720.tif 000002
【特許請求の範囲】
【請求項１】
ユーザを識別するためのユーザ識別情報と、そのユーザが所定の場所に位置しているか否かを示す在否情報と、前記場所内でそのユーザが配置されている領域を表す配置情報とを対応付けて複数組記憶する位置情報記憶部に記憶されている所定の情報を読み込む情報読込部と、
前記情報読込部が読み込んだ前記情報に基づき、前記場所に位置していることを示す状態の前記在否情報が１つも対応付けられていない前記配置情報が表す領域、にのみ対応付けられている設備の動作を停止させる制御を行う制御部と
を備えることを特徴とする設備制御システム。
【請求項２】
さらに、前記制御部が、前記場所に位置していることを示す状態の前記在否情報が少なくとも１つ対応付けられている前記配置情報が表す領域、に対応付けられている前記設備を動作させる制御を行う
ことを特徴とする請求項１に記載の設備制御システム。
【請求項３】
前記制御部が、前記設備と前記設備の電源との間に設けた遮断装置を遮断することで前記設備の動作を停止させる制御を行う
ことを特徴とする請求項１又は２に記載の設備制御システム。
【請求項４】
前記制御部が、所定の手順に従って段階的に前記設備の動作を停止させる制御を行う
ことを特徴とする請求項１又は２に記載の設備制御システム。
【請求項５】
情報読込部が、ユーザを識別するためのユーザ識別情報と、そのユーザが所定の場所に位置しているか否かを示す在否情報と、前記場所内でそのユーザが配置されている領域を表す配置情報とを対応付けて複数組記憶する位置情報記憶部に記憶されている所定の情報を読み込み、
制御部が、前記情報読込部が読み込んだ前記情報に基づき、前記場所に位置していることを示す状態の前記在否情報が１つも対応付けられていない前記配置情報が表す領域、にのみ対応付けられている設備の動作を停止させる制御を行う
ことを特徴とする設備制御方法。
【発明の詳細な説明】
【技術分野】
【０００１】
本発明は、設備制御システム及び設備制御方法に関する。
【背景技術】
【０００２】
近年、省エネルギー化や自然エネルギーの有効活用などが注目を浴びており、マイクログリッドシステムや、スマートグリッドシステム、スマートコミュニティなどの導入が進んでいる。省エネルギー化のためには、設備機器の効率的な運用が欠かせないが、デマンドレスポンス制御の対象となっているのは、主に空調や照明などの建築設備機器である。一方、現在の建物において、ネットワーク環境も欠かせないものとなっており、電話回線、業務用ＬＡＮ（Ｌｏｃａｌ  Ａｒｅａ  Ｎｅｔｗｏｒｋ）、設備制御回線など、さまざまなシステムがＩＰ（Ｉｎｔｅｒｎｅｔ  Ｐｒｏｔｏｃｏｌ）統合化へとシフトしている。その中で、常時稼働しているネットワーク機器の省エネ制御が遅れていると感じられている。
【０００３】
なお、マイクログリッドとは、太陽光発電などの自然エネルギーも含めた「複数の発電設備」と「蓄電池」をネットワーク化し、エネルギー需要の変化に合わせて最適制御することで、安定的にエネルギーを供給するシステムのことである。スマートグリッドとは、高度な情報ネットワーク機能を備えた送電網のことで次世代電力網と呼ばれる。スマートコミュニティとは、電気の有効利用に加え、熱や未利用エネルギーも含めたエネルギーを、地域単位で総合的に管理し、交通システム、市民のライフスタイルの変革などを複合的に組み合わせたエリア単位での次世代のエネルギー・社会システムの概念である。そして、デマンドレスポンスとは、需要家が需要量を変動させて電力の需給バランスを一致させることである。
【先行技術文献】
【特許文献】
【０００４】
【特許文献１】特開２０１１−８７０１６号公報
【特許文献２】特開２００６−１３９４４５号公報
【発明の概要】
【発明が解決しようとする課題】
【０００５】
本発明は、上記の事情を考慮してなされたものであり、ネットワーク機器に適切に対応することができる設備制御システム及び設備制御方法を提供することを目的とする。
【課題を解決するための手段】
【０００６】
上記課題を解決するため、本発明の設備制御システムは、ユーザを識別するためのユーザ識別情報と、そのユーザが所定の場所に位置しているか否かを示す在否情報と、前記場所内でそのユーザが配置されている領域を表す配置情報とを対応付けて複数組記憶する位置情報記憶部に記憶されている所定の情報を読み込む情報読込部と、前記情報読込部が読み込んだ前記情報に基づき、前記場所に位置していることを示す状態の前記在否情報が１つも対応付けられていない前記配置情報が表す領域、にのみ対応付けられている設備の動作を停止させる制御を行う制御部とを備えることを特徴とする。
【０００７】
また、本発明の設備制御システムは、さらに、前記制御部が、前記場所に位置していることを示す状態の前記在否情報が少なくとも１つ対応付けられている前記配置情報が表す領域、に対応付けられている前記設備を動作させる制御を行うことを特徴とする。
【０００８】
また、本発明の設備制御システムは、前記制御部が、前記設備と前記設備の電源との間に設けた遮断装置を遮断することで前記設備の動作を停止させる制御を行うことを特徴とする。
【０００９】
また、本発明の設備制御システムは、前記制御部が、所定の手順に従って段階的に前記設備の動作を停止させる制御を行うことを特徴とする。
【００１０】
また、本発明の設備制御方法は、情報読込部が、ユーザを識別するためのユーザ識別情報と、そのユーザが所定の場所に位置しているか否かを示す在否情報と、前記場所内でそのユーザが配置されている領域を表す配置情報とを対応付けて複数組記憶する位置情報記憶部に記憶されている所定の情報を読み込み、制御部が、前記情報読込部が読み込んだ前記情報に基づき、前記場所に位置していることを示す状態の前記在否情報が１つも対応付けられていない前記配置情報が表す領域、にのみ対応付けられている設備の動作を停止させる制御を行うことを特徴とする。
【発明の効果】
【００１１】
本発明では、制御部によって、位置情報記憶部が記憶する、ユーザが所定の場所に位置しているか否かを示す在否情報と、その場所内でそのユーザが配置されている領域を表す配置情報とに基づいて、設備の動作を停止させる制御が行われる。この構成によれば、ユーザが位置する場所と、ユーザが配置されている領域と、設備の制御とを任意に組み合わせることが可能となる。よって、例えばネットワーク機器のように、多段接続されたり、複数のユーザで共用されたりするといった設備に対しても、制御を適切に行うことができる。
【図面の簡単な説明】
【００１２】
【図１】本発明の設備制御システムの一実施形態を説明するためのブロック図である。
【図２】図１に示した設備制御システム３の動作を説明するための説明図である。
【発明を実施するための形態】
【００１３】
以下、図面を参照して本発明の実施形態について説明する。図１は、本発明の設備制御システムの一実施形態を説明するためのブロック図である。図１に示した本発明の一実施形態としての設備制御システム３は、ネットワークシステム１００内に設けられている。ネットワークシステム１００は、複数のフロアーを有する１棟の建物（以下では当該建物とも称する）に設置された複数のネットワーク機器、建築設備機器等の設備をネットワークを介して接続、機能及び連携させるコンピュータネットワークである。ただし、図１では、ネットワークシステム１００のうち、全フロアーの設備制御に関連する構成と、１つのフロアー６に設置された複数の設備とを示している。また、ネットワークシステム１００は、１つの会社内のシステムとして構築されている。
【００１４】
図１に示した構成例では、ネットワークシステム１００が、各フロアーの各設備あるいは各従業員の管理を行うための構成として、人事システム１と、入退出管理システム２と、設備制御システム３と、位置情報システム４と、通信線５とを備えている。また、ネットワークシステム１００は、フロアー６に設置されている設備として次のものを備えている。すなわち、ネットワークシステム１００は、フロアー６において、通信線７、８及び９と、フロアースイッチ２１〜２６と、島ハブ３１〜３６と、電源４１〜４８と、空調（設備）５１と、照明（設備）５２と、建物セキュリティ（設備）６１及び６２と、フロアーセキュリティ（設備）７１〜７３と、電源線１０とを備えている。ここで、島ハブのネットワーク構成は、例えば大元のＨＵＢ（ハブ）から、島（複数台の机などから構成されるブロック）へＬＡＮ配線し（島型構成のネットワークとし）、その島各々にＨＵＢを島ハブとして設置し、それぞれの机におけるＰＣに対する通信線をこの島ハブから接続するようにした形態を示している。
【００１５】
図１に示した構成例において、人事システム１は、コンピュータと通信装置とを有し、ネットワークシステム１００内の各設備のユーザである各従業員の労務管理に係る情報を管理する。人事システム１は、例えば、各従業員を識別するための識別情報である社員コードや、各従業員がどのフロアーのどの席に座っているのかあるいはどの部署に所属しているかといった配置情報を管理する。
【００１６】
入退出管理システム２は、コンピュータと通信装置とを有し、各従業員の建物への入退出情報を管理する。入退出管理システム２は、さらに、建物内の各フロアーあるいはフロアー内の所定の部屋等への各従業員の入退出情報を管理することもできる。入退出管理システム２は、建物、フロアー空間、部屋等の所定の場所への各従業員の入退出の検知を、例えばＩＣタグ、無線タグ、生体認証システム等を用いて行うことができる。
【００１７】
設備制御システム３は、コンピュータと通信装置とを有し、建物内の各設備の動作を制御する。位置情報システム４は、コンピュータと通信装置とを有し、入退出管理システム２が検知した情報に基づき、各従業員の位置情報を管理する。設備制御システム３と位置情報システム４の詳細については後述する。
【００１８】
通信線５は、人事システム１と、入退出管理システム２と、設備制御システム３と、位置情報システム４とを相互に接続するとともに、通信線７等の各フロアーに設けられた通信線に接続されている。
【００１９】
一方、フロアー６に設置されているフロアースイッチ２１〜２６は、例えばパケット、フレーム等の交換処理を行うＬ２スイッチ（レイヤ２スイッチ）等の通信装置である。フロアースイッチ２１及び２２は、各従業員が使用するパーソナルコンピュータや種々のネットワーク機器、システム間で送受信されるデータを交換処理する装置として、すなわちデータ系のスイッチとして使用される。フロアースイッチ２３及び２４は、例えばＩＰ内線電話端末とコンピュータ間で送受信されるＶｏＩＰ（Ｖｏｉｃｅ  ｏｖｅｒ  Ｉｎｔｅｒｎｅｔ  Ｐｒｏｔｏｃｏｌ）に従ったデータを交換処理する装置として、すなわちＶｏＩＰ系のスイッチとして使用される。
【００２０】
また、フロアースイッチ２５は、空調５１、照明５２、電源４１〜４８等と、設備制御システム３との間で送受信される制御用のデータを交換処理する装置として、すなわち制御系のスイッチとして使用される。フロアースイッチ２６は、建物セキュリティ６１及び６２と、フロアーセキュリティ７１〜７３と、図示していないセキュリティ管理用のシステムあるいは、入退出管理システム２や設備制御システム３との間でセキュリティ管理用データを交換処理する装置として、すなわちセキュリティ系のスイッチとして使用される。
【００２１】
島ハブ３１〜３６は、例えばユーザが直接ケーブルを接続できるような形で設けられた、比較的少ないポート数を持つリピータハブ（あるいはスイッチ）である。島ハブ３１〜３３は、データ系スイッチであるフロアースイッチ２１及びフロアースイッチ２２に通信線９を介してそれぞれ接続されるとともに、図示してない各従業員が使用するパーソナルコンピュータ等の端末が接続される。島ハブ３４〜３６は、ＶｏＩＰ系スイッチであるフロアースイッチ２３及びフロアースイッチ２４に通信線９を介してそれぞれ接続されるとともに、図示してない各従業員が使用するＩＰ内線電話端末が接続される。
【００２２】
なお、図１に示した例では、島ハブ３１及び３２が破線で示した区画１１に対応付けられている。島ハブ３３が破線で示した区画１２に対応付けられている。島ハブ３４及び３５が破線で示した区画１３に対応付けられている。島ハブ３６が破線で示した区画１４に対応付けられている。ここで、区画１１と区画１３とは一意に対応し、同一の区画識別情報が定義されている。また、区画１２と区画１４とは一意に対応し、同一の区画識別情報が設定されている。なお、各区画１１〜１４は、連続した領域に限らず、いわゆる飛び地のように分散された複数の領域を含むものであってもよい。また、区画１１〜１４は例えば島ハブ３１〜３６に接続する装置を使用する従業員の配置に対応づけられた領域を示すものであり、島ハブ３１〜３６の設置位置と各区画の物理的な位置関係は対応していなくてもよい。
【００２３】
なお、図１に示した構成例では、島ハブ３１〜３６は動作を停止させる際に特別な手順を踏むこと無く電源を遮断することで動作を停止することができる構成であるとする。一方、フロアースイッチ２１〜２５は、各フロアースイッチ２１〜２５に対して動作を停止する命令を送信することでソフトウェア的に動作を停止させる処理を行う構成であるとする。ただし、この組み合わせは一例であって、フロアースイッチ２１〜２５も電源の遮断による動作停止に対応したものとしたり、島ハブ３１〜３６もソフトウェア的に動作を停止させる処理を行うことができるものとしたりすることができる。
【００２４】
電源４１〜４８は、フロアースイッチ２１〜２４又は島ハブ３１〜３６に対して電源線１０を介して電力を供給する電源である。各電源４１〜４８は、例えば商用電圧の交流電力を入力して所定の電圧の直流（又は交流）電力に変換して出力したり、入力した商用電圧の交流電力あるいは所定の電圧の直流電力をそのまま出力したりする。ただし、各電源４１〜４８は、内部に機械式又は電子式の遮断装置を備え、フロアースイッチ２５から通信線８を介して入力した制御信号に応じて、出力を遮断したり接続したりする。各電源４１〜４８には通信装置を設けてもよいし、設けなくてもよい。
【００２５】
また、フロアースイッチ２５から入力する制御信号は、例えば、所定のプロトコルに従った通信データとしてもよいし、通信線８を使用して給電される直流電力のオン・オフ信号としてもよい。フロアースイッチ２５は、設備制御システム３から受信した制御データに応じて、各電源４１〜４８の出力をオンしたり、オフしたりする。
【００２６】
空調５１は、通信装置を有する空調装置であり、設備制御システム３との間でフロアースイッチ２５及び通信線９を介して所定のデータを送受信し、設備制御システム３から受信した制御データに応じて空調の起動・停止や温度等の制御を行う。
【００２７】
照明５２は、通信装置を有する照明装置であり、設備制御システム３との間でフロアースイッチ２５及び通信線９を介して所定のデータを送受信し、設備制御システム３から受信した制御データに応じて照明の起動・停止や明るさ等の制御を行う。
【００２８】
建物セキュリティ６１及び６２は、セキュリティ用の設備であり、フロアースイッチ２６及び通信線９を介して、図示していないセキュリティ管理用のシステム等に接続し、所定のデータを送受信する。フロアーセキュリティ７１及び７２は、セキュリティ用の設備であり、フロアースイッチ２６及び通信線９を介して、図示していないセキュリティ管理用のシステム等に接続し、所定のデータを送受信する。
【００２９】
通信線７は、通信線５に接続された通信線であり、フロアースイッチ２１〜２６と、設備制御システム３等との間で送受信されるデータを転送する。
【００３０】
次に、図２を参照して、図１に示した設備制御システム３と位置情報システム４とについて詳細に説明する。図２は、図１に示した位置情報システム４が有する位置情報データベース４０１の構成例を示すとともに、図１に示した設備制御システム３の構成例及び動作例を説明するための説明図である。
【００３１】
図２に示したように、位置情報システム４は、位置情報データベース４０１を有している。位置情報データベース４０１は、社員コードと、在館フラグと、２種類の配置情報と、内線ＩＰアドレスとを対応付けて複数組記憶する。社員コードは、各従業員すなわち各ユーザ（以下、ユーザと称する）を識別するためのユーザ識別情報である。在館フラグは、当該ユーザが当該建物に入館しているか否かを示す情報であり、この例では１又は０の１ビットのデータである。在館フラグは、入退出管理システム２が検知した情報に応じて当該ユーザが当該建物に入館した場合に１に、当該建物から退出した場合に０に設定される。２種類の配置情報の一方は、当該ユーザが配置されたフロアー、すなわち例えば当該ユーザの席があるフロアーを示す情報である。
【００３２】
また、図１に示した構成例では、位置情報データベース４０１内のフロアーを示す配置情報は、破線で示したフロアー６を示す情報である。２種類の配置情報の他方は、当該ユーザが配置された区画、すなわち例えば当該ユーザの席がある区画を示す情報である。図１に示した構成例では、位置情報データベース４０１内の区画を示す配置情報は、破線で示した区画１１又は１２（あるいは区画１３又は１４）を示す情報である。そして、内線ＩＰアドレスは、当該ユーザに割り当てられている内線ＩＰアドレスの値である。
【００３３】
図２に示した例では、例えば社員コード「１１１１１１」のユーザは、配置情報（フロアー）で示された「５」階の配置情報（区画）で示された「Ｎ２」区画に席があり、内線ＩＰアドレスが「ｘ．ｘ．ａ．１」であり、かつ、在館フラグが「１」であることから現在、当該建物内に位置していることが示されている。また、同社員コード「１１１１１１」のユーザは、配置情報（フロアー）で示された「７」階の配置情報（区画）で示された「Ｎ２」区画にも席があり、その席での内線ＩＰアドレスが「ｘ．ｘ．ｂ．１」であり、かつ、在館フラグが「１」であることから現在、当該建物内に位置していることが示されている。
【００３４】
また、社員コード「２２２２２２」のユーザは、配置情報（フロアー）で示された「８」階の配置情報（区画）で示された「Ｓ１」区画に席があり、内線ＩＰアドレスが「ｘ．ｘ．ｃ．１」であり、かつ、在館フラグが「１」であることから現在、当該建物内に位置していることが示されている。また、社員コード「３３３３３３」のユーザは、配置情報（フロアー）で示された「１５」階の配置情報（区画）で示された「Ｓ２」区画に席があり、内線ＩＰアドレスが「ｘ．ｘ．ｄ．１」であり、かつ、在館フラグが「１」であることから現在、当該建物内に位置していることが示されている。
【００３５】
なお、位置情報データベース４０１内の在館フラグを除く各項目の情報は、位置情報システム４が、人事システム１から配置データとして取得することで新規に格納されたり、更新されたりする。また、位置情報データベース４０１内の在館フラグを項目は、位置情報システム４が入退出管理システム２から各ユーザの通行データを取得することで随時更新される。入退出管理システム２が提供する通行データは、各ユーザの当該建物内の最新の通行位置を示す情報であり、例えば各ユーザが当該建物内に設けられた複数のセキュリティゲートを通過する際に更新される。
【００３６】
なお、位置情報データベース４０１の構成は、図２に示したものに限定されず、例えば次のように変形することができる。すなわち、例えば社員コードに代えてあるいは加えて、例えば各ユーザが携帯するＩＣタグの識別情報を用いることもできる。在館フラグに代えてあるいは在館フラグに加えて、各ユーザの当該建物内での現在位置を示す情報を、位置情報データベース４０１が保持するようにしてもよい。また、配置情報は、フロアーや区画を単位とするものに加え、あるいは代えて、部屋、席、机、複数のフロアー、複数の区画、複数の部屋、複数の席等を単位として表すものとしてもよい。また、配置情報は、当該ユーザが所属する部署等を表す情報としてもよい。また、内線ＩＰアドレスの項目は省略してもよい。
【００３７】
なお、図２に示した構成例では、位置情報データベース４０１が記憶する各項目のうち、社員コードが「ユーザを識別するためのユーザ識別情報」の一例である。また、在館フラグが、「そのユーザが所定の場所に位置しているか否かを示す在否情報」の一例である。また、「所定の場所」とは、建物のほか、フロアー、部屋等に対応するものとすることができる。また、２種類の配置情報が「その場所内でそのユーザが配置されている領域を表す配置情報」の一例である。ここで、「設備」には、図１ではフロアースイッチ２１〜２４、島ハブ３１〜３６、又は、島ハブ３１〜３６に接続する所定の端末等が対応する。また、「領域」には、フロアーや区画が対応するが、部屋、席、机、部署等に対応するものとしてもよい。
【００３８】
次に、設備制御システム３について説明する。図２に示した構成例では、設備制御システム３が、設備制御データベース３０１と、情報読込部３０２と、制御部３０３とを備えている。設備制御データベース３０１、情報読込部３０２及び制御部３０３は、１又は複数のコンピュータと、その周辺装置と、そのコンピュータが実行するプログラムとの組み合わせから構成されている。設備制御データベース３０１は、制御部３０３が各設備を制御する際に使用する種々の情報を記憶したデータベースである。情報読込部３０２は、位置情報データベース４０１から、在館フラグ（すなわち在館情報）、２種類の配置情報などの所定の情報を読み込み、例えば設備制御システム３内部の所定のメモリに書き込む。制御部３０３は、情報読込部３０２が位置情報データベース４０１から読み込んだ所定の情報に基づき、設備制御データベース３０１に格納されている種々の情報を利用して建物内の各設備の動作を制御する。
【００３９】
次に、設備制御データベース３０１が記憶する各種の情報について説明する。設備制御データベース３０１は、制御部３０３が各設備を制御する際に使用する種々の情報を記憶するが、それらの情報の１つは次のものである。すなわち、設備制御データベース３０１には、各設備と、位置情報データベース４０１内の配置情報とを対応付ける情報が格納されている。例えば、図１に示した構成例では、設備制御データベース３０１に、島ハブ３１及び島ハブ３２を区画１１に対応付ける情報が格納される。
【００４０】
また、設備制御データベース３０１に、島ハブ３３を区画１２に対応付ける情報が格納される。また、設備制御データベース３０１に、島ハブ３４及び島ハブ３５を区画１３に対応付ける情報が格納される。また、設備制御データベース３０１に、島ハブ３６を区画１４に対応付ける情報が格納される。また、設備制御データベース３０１に、フロアースイッチ２１及び２２を、区画１１及び区画１２に対応付ける情報が格納される。また、設備制御データベース３０１に、フロアースイッチ２３及び２４を、区画１３及び区画１４に対応付ける情報が格納される。また、設備制御データベース３０１に、フロアースイッチ２１〜２５と、島ハブ３１〜３６とを、フロアー６に対応付ける情報が格納される。
【００４１】
ただし、図１に示した構成例では、フロアースイッチ２１及び２２を区画１１及び区画１２に対応付ける情報を格納することと、フロアースイッチ２３及び２４を区画１３及び区画１４に対応付ける情報を格納することとを省略することができる。省略した場合、後述する設備制御データベース３０１に格納した各設備の接続関係を示す情報を参照することで、フロアースイッチ２１〜２４がどの区画に対応付けられているのかを制御部３０３は確認することができる。
【００４２】
また、設備制御データベース３０１には、各設備と、各電源とを対応付ける情報が格納されている。例えば、図１に示した構成例では、設備制御データベース３０１に、フロアースイッチ２１と電源４１とを対応付ける情報が格納される。また、設備制御データベース３０１に、フロアースイッチ２２と電源４４とを対応付ける情報が格納される。また、設備制御データベース３０１に、フロアースイッチ２３と電源４５とを対応付ける情報が格納される。また、設備制御データベース３０１に、フロアースイッチ２４と電源４８とを対応付ける情報が格納される。また、設備制御データベース３０１に、島ハブ３１及び３２と電源４２とを対応付ける情報が格納される。また、設備制御データベース３０１に、島ハブ３３と電源４３とを対応付ける情報が格納される。また、設備制御データベース３０１に、島ハブ３４及び３５と電源４６とを対応付ける情報が格納される。また、設備制御データベース３０１に、島ハブ３６と電源４７とを対応付ける情報が格納される。
【００４３】
また、設備制御データベース３０１には、各通信設備の接続関係を示す情報が格納されている。例えば、図１に示した構成例では、設備制御データベース３０１に、通信線７にフロアースイッチ２１が接続され、さらにフロアースイッチ２１に島ハブ３１〜３３が接続されていることを示す情報が格納される。また、設備制御データベース３０１に、通信線７にフロアースイッチ２２が接続され、さらにフロアースイッチ２２に島ハブ３１〜３３が接続されていることを示す情報が格納される。また、設備制御データベース３０１に、通信線７にフロアースイッチ２３が接続され、さらにフロアースイッチ２３に島ハブ３４〜３６が接続されていることを示す情報が格納される。また、設備制御データベース３０１に、通信線７にフロアースイッチ２４が接続され、さらにフロアースイッチ２４に島ハブ３４〜３６が接続されていることを示す情報が格納される。
【００４４】
また、設備制御データベース３０１には、各設備のアドレスを示す情報と、制御を行う場合の命令の仕様等を表す情報と、各設備の最新の動作状態を示す情報とが格納される。例えば、図１に示した構成例では、設備制御データベース３０１に、空調５１及び照明５２のＩＰアドレス、動作を制御したり、動作を停止したりする際の命令の仕様等を示す情報、及び動作状態を示す情報が格納される。また、設備制御データベース３０１に、電源４１〜４８のＩＰアドレス、動作を停止する際の命令の仕様等を示す情報、及び動作状態を示す情報が格納される。ただし、電源４１〜４８の制御を通信線を使用して給電される直流電力のオン・オフ信号で行う場合には、設備制御データベース３０１には、例えば、電源４１〜４８と電源４１〜４８が通信線８を介して接続されているフロアースイッチ２５のポートの識別子との対応関係を示す情報が格納される。
【００４５】
また、設備制御データベース３０１に、フロアースイッチ２１〜２６のＩＰアドレス、動作を停止する際の命令の仕様等を示す情報、及び動作状態を示す情報が格納される。また、データ系の島ハブ３１〜３３に接続されている（あるいは接続される可能性がある）設備（例えばパーソナルコンピュータ）のＩＰアドレスやＭＡＣ（Ｍｅｄｉａ  Ａｃｃｅｓｓ  Ｃｏｎｔｒｏｌ）アドレスと、その設備の動作を停止させる際の命令の仕様、その設備が接続されているか否かを確認するための処理手順、その設備がどのような動作状態にあるのかを確認するための処理手順、及び動作状態等を示す情報が格納される。
【００４６】
次に、設備制御システム３の動作例について説明する。設備制御システム３は、位置情報データベース４０１の記憶内容と、情報読込部３０２によって読み込んだ設備制御データベース３０１の記憶内容とに基づき、制御部３０３によって図１に示した通信線５等を介し種々の制御データを送受信することで、各設備に対して種々の制御を行う。制御部３０３が行う制御の１つは次のものである。すなわち、制御部３０３は、位置情報データベース４０１に記憶されている在館フラグつまり在館情報を確認し、その確認結果に基づいて所定の判定を行い、その判定結果応じて例えば図１に示したフロアースイッチ２１〜２４、島ハブ３１〜３６等の設備を動作させたり、動作を停止させたりする制御を行う。動作させる場合と動作を停止させる場合の判定条件は、次の通りである。すなわち、位置情報データベース４０１において、同一のフロアーの同一の区画に配置情報が対応付けられている１又は複数のユーザのうち、少なくとも１名の在館フラグが１であることが、同フロアー及び同区画に対応付けられている設備を動作させる場合の条件である。
【００４７】
他方、位置情報データベース４０１において、同一のフロアーの同一の区画に配置情報が対応付けられている１又は複数のユーザすべての在館フラグが０であることが、同フロアー及び同区画に対応付けられている設備の動作を停止させる場合の条件である。上述したように、在館フラグは、ユーザが所定の場所に位置しているか否かを示す在否情報の一例である。また、２種類の配置情報は、その所定の場所（例えば当該建物）内でそのユーザが配置されている領域を表す配置情報の一例である。したがって、制御部３０３は、位置情報データベース４０１の記憶内容に基づき、所定の場所に位置していることを示す状態の在否情報が少なくとも１つ対応付けられている配置情報が表す領域、に対応付けられている設備を動作させる制御を行うものということができる。また、制御部３０３は、所定の場所に位置していることを示す状態の在否情報が１つも対応付けられていない配置情報が表す領域、にのみ対応付けられている設備の動作を停止させる制御を行うものであるということもできる。
【００４８】
また、図２に示した例では、例えば、位置情報データベース４０１内で社員コード「１１１１１１」、「２２２２２２」、「３３３３３３」の各ユーザの在館フラグがいずれも「１」である。すなわち、「１１１１１１」、「２２２２２２」、「３３３３３３」の各ユーザは、当該建物に入館し、在館中である。この場合、例えば、「１１１１１１」のユーザは、フロアーが「５」で区画が「Ｎ２」の配置情報とフロアーが「７」で区画が「Ｎ２」の配置情報とに対応付けられている。この場合、情報読込部３０２は、位置情報データベース４０１から、社員コード「１１１１１１」のユーザが、在館していて、かつ、フロアー「５」の区画「Ｎ２」と、フロアー「７」の区画「Ｎ２」とに対応付けられているとの情報を取得する。そして、制御部３０３は、設備制御データベース３０１を参照して、フロアー「５」の区画「Ｎ２」に対応付けられている所定の設備と、フロアー「７」の区画「Ｎ２」に対応付けられている所定の設備とを動作させる所定の制御を行う。
【００４９】
また、図２に示した例では、「２２２２２２」のユーザは、フロアーが「８」で区画が「Ｓ１」の配置情報に対応付けられている。この場合、情報読込部３０２は、位置情報データベース４０１から、社員コード「２２２２２２」のユーザが、在館していて、かつ、フロアー「８」の区画「Ｓ１」に対応付けられているとの情報を取得する。そして、制御部３０３は、設備制御データベース３０１を参照して、フロアー「８」の区画「Ｓ１」に対応付けられている所定の設備を動作させる所定の制御を行う。同様に、「３３３３３３」のユーザは、フロアーが「１５」で区画が「Ｓ２」の配置情報に対応付けられている。この場合、情報読込部３０２は、位置情報データベース４０１から、社員コード「３３３３３３」のユーザが、在館していて、かつ、フロアー「１５」の区画「Ｓ２」に対応付けられているとの情報を取得する。そして、制御部３０３は、設備制御データベース３０１を参照して、フロアー「１５」の区画「Ｓ２」に対応付けられている所定の設備を動作させる所定の制御を行う。
【００５０】
一方、例えば、社員コード「１１１１１１」のユーザを含む、フロアー「５」の区画「Ｎ２」に対応付けられているすべてのユーザが当該建物から退出したとすると、フロアー「５」の区画「Ｎ２」に対応付けられているすべてのユーザの在館フラグは「０」に更新される。この場合、情報読込部３０２は、位置情報データベース４０１から、フロアー「５」の区画「Ｎ２」に対応付けられているすべてのユーザの在館フラグが「０」であることを示す情報を取得する。そして、制御部３０３は、設備制御データベース３０１の記憶内容と、情報読込部３０２が読み込んだ位置情報データベース４０１の記憶内容とに基づいて、フロアー「５」の区画「Ｎ２」に対応付けられていて、かつユーザの在館フラグが「１」である他のフロアーや他の区画に対応付けられていない所定の設備の動作を停止させる所定の制御を行う。同様に、社員コード「１１１１１１」のユーザを含む、フロアー「７」の区画「Ｎ２」に対応付けられているすべてのユーザが当該建物から退出したとすると、フロアー「７」の区画「Ｎ２」に対応付けられているすべてのユーザの在館フラグは「０」に更新される。この場合、情報読込部３０２は、位置情報データベース４０１から、フロアー「７」の区画「Ｎ２」に対応付けられているすべてのユーザの在館フラグが「０」であることを示す情報を取得する。そして、制御部３０３は、設備制御データベース３０１の記憶内容と、情報読込部３０２が読み込んだ位置情報データベース４０１の記憶内容とに基づいて、フロアー「７」の区画「Ｎ２」に対応付けられていて、かつユーザの在館フラグが「１」である他のフロアーや他の区画に対応付けられていない所定の設備の動作を停止させる所定の制御を行う。
【００５１】
次に、図１に示した構成例を参照して設備制御システム３の動作例についてさらに説明する。いま、位置情報データベース４０１内でフロアー６及び区画１１〜１４を示す配置情報に対応付けられているユーザが１人も在館していないとする。ただし、以下では、区画１１と区画１３とには同一の配置情報が割り当てられていることとする。また、区画１２と区画１４には同一の配置情報が割り当てられていることとする。この場合、位置情報データベース４０１では、それらのユーザの在館フラグはすべて「０」に設定される。この場合、制御部３０３は、フロアースイッチ２５を介した制御で電源４１〜４８の出力をすべて遮断状態とし、フロアースイッチ２１〜２４は動作を停止させている。また、この場合、制御部３０３は、フロアースイッチ２５を介して空調５１や照明５２の動作を停止状態としていてもよい。ただし、制御部３０３は、セキュリティ系統、すなわち、建物セキュリティ６１及び６２と、フロアーセキュリティ７１〜７３とは、動作状態に制御する。
【００５２】
上記の状態で、位置情報データベース４０１内でフロアー６と区画１１及び１３とに対応付けられているユーザが１名以上当該建物に入館したとする。この場合、位置情報システム４は、位置情報データベース４０１内の当該ユーザの在館フラグを「１」に更新する。設備制御システム３では、制御部３０３が、情報読込部３０２が読み込んだ情報に基づき在館フラグの更新を確認すると、設備制御データベース３０１を参照し、フロアー６の区画１１及び１３に対応付けられている設備がフロアースイッチ２１〜２４と島ハブ３１及び３２と島ハブ３４及び３５とであることを確認する。
【００５３】
そして、制御部３０３は、設備制御データベース３０１に記憶されている、フロアースイッチ２１〜２４と島ハブ３１及び３２と島ハブ３４及び３５との起動手順に従って、それらの通信設備を起動し、動作させる。制御部３０３は、例えば、電源４２と電源４６からの電力の供給を開始し、島ハブ３１及び３２と島ハブ３４及び３５とを起動する。次に、制御部３０３は、電源４１と電源４４と電源４５と電源４８からの電力の供給を開始し、フロアースイッチ２１〜２４を起動する。また、制御部３０３は、フロアースイッチ２５を介して空調５１や照明５２を動作させたり、動作状態を所定の状態に制御したりする。
【００５４】
上記の状態で、さらに、位置情報データベース４０１内でフロアー６と区画１２及び１４とに対応付けられているユーザが１名以上当該建物に入館したとする。この場合、位置情報システム４は、位置情報データベース４０１内の当該ユーザの在館フラグを「１」に更新する。設備制御システム３では、制御部３０３が、情報読込部３０２が読み込んだ情報に基づき在館フラグの更新を確認すると、設備制御データベース３０１を参照し、フロアー６の区画１２及び１４に対応付けられている設備がフロアースイッチ２１〜２４と島ハブ３３と島ハブ３６とであることを確認する。
【００５５】
そして、制御部３０３は、設備制御データベース３０１に記憶されている手順に従って、フロアースイッチ２１〜２４と島ハブ３３と島ハブ３６との動作状態を確認し、設備制御データベース３０１に確認結果を反映するとともに、動作を停止している状態の島ハブ３３と島ハブ３６とを起動し、動作させる。制御部３０３は、例えば、電源４３と電源４７からの電力の供給を開始し、島ハブ３３と島ハブ３６とを起動する。また、制御部３０３は、フロアースイッチ２５を介して空調５１や照明５２を動作させたり、動作状態を所定の状態に制御したりする。
【００５６】
次に、上記の状態から、位置情報データベース４０１内でフロアー６と区画１１及び１３とに対応付けられているユーザがすべて当該建物から退出したとする。この場合、位置情報システム４は、位置情報データベース４０１内でフロアー６と区画１１及び１３とに対応付けられている在館フラグをすべて「０」に更新する。設備制御システム３では、制御部３０３が、情報読込部３０２が読み込んだ情報に基づき在館フラグの更新を確認すると、設備制御データベース３０１を参照し、フロアー６の区画１１及び１３に対応付けられている設備がフロアースイッチ２１〜２４と島ハブ３１及び３２と島ハブ３４及び３５であることを確認する。
【００５７】
次に、確認結果に基づき、制御部３０３は、情報読込部３０２が読み込んだ情報に基づき位置情報データベース４０１内でフロアースイッチ２１〜２４と島ハブ３１及び３２と島ハブ３４及び３５とに対応付けられているすべての在館フラグの値を確認する。この場合にフロアー６の区画１２及び１４に対応付けられている在館フラグの少なくとも１つが「１」であるとすると、制御部３０３は、フロアースイッチ２１〜２４は動作を停止させられないことを確認する。したがって、この場合、制御部３０３は、対応付けられている在館フラグがすべて「０」の島ハブ３１及び３２と島ハブ３４及び３５との動作を停止させる制御を行う。すなわち、制御部３０３は、フロアースイッチ２５を介して電源４２及び電源４６からの電力の出力を遮断し、島ハブ３１及び３２と島ハブ３４及び３５との動作を停止させる。
【００５８】
なお、制御部３０３は、設備の動作を停止する際に次のようにして島ハブ３１〜３３等に接続されるパーソナルコンピュータなどの設備の動作を停止させる制御を行うこともできる。例えば、図２に示したように、島ハブ３１〜３３に通信線２０１を介してパーソナルコンピュータ８１が接続されていた場合、制御部３０３は、フロアースイッチ２１及び２２や島ハブ３１〜３３の動作を停止する前に、フロアースイッチ２１及び２２と島ハブ３１〜３３を介して、島ハブ３１〜３３に対して動作状態のパーソナルコンピュータ８１が接続されているか否かを確認する処理を行う。そして、動作状態のパーソナルコンピュータ８１が接続されていることが確認された場合、制御部３０３は、まず、動作状態のパーソナルコンピュータ８１に対して、動作を停止させる制御信号を送信する。次に、制御部３０３は、パーソナルコンピュータ８１の動作が停止したか否かを確認し、動作が停止したことを確認した場合に、島ハブ３１〜３３の動作やフロアースイッチ２１及び２２の動作を停止させる。このように、制御部３０３は、段階的に各設備を停止させることができる。
【００５９】
また、島ハブ３４〜３６とそれらに接続されるＩＰ内線電話端末などの設備の構成は、次のようにすることもできる。すなわち、図２に示したように島ハブ３４〜３６に接続するＩＰ内線電話端末９１を、通信線２０２を介して供給された電力によって動作する構成を有するものとする。さらに、島ハブ３４〜３６の各ポートを、所定の電力を通信線２０２を介して供給可能な構成のものにする。このようにすると、制御部３０３が、電源４６又は４７を遮断することで、島ハブ３４〜３６に接続されているＩＰ内線電話端末９１の動作を停止させることができる。
【００６０】
以上のように、本実施形態では、設備制御システム３によって、位置情報データベース４０１（位置情報記憶部）が記憶する、ユーザが建物内（所定の場所）に位置しているか否かを示す在館フラグ（在否情報）と、その場所内でそのユーザが配置されているフロアーの配置情報と区画の配置情報（領域を表す配置情報）とに基づいて、設備の動作を停止させる制御が行われる。この構成によれば、ユーザが位置する場所と、ユーザが配置された領域と、設備の制御とを任意に組み合わせることが可能となる。よって、例えばネットワーク機器のように、多段接続されたり、複数のユーザで共用されたりするといった設備に対しても、制御を適切に行うことができる。
【００６１】
なお、上述したネットワークシステム１００は、次のように構成することもできる。すなわち、各区画は、電源系統の制御単位とし、区画毎に電源系統を制御可能なように計画することができる。また、入退出管理システム２は、次のような情報を管理するものとすることができる。すなわち、入退出管理システム２は、建物への入退出情報や執務エリアへの入退出情報を管理するものとすることができる。
【００６２】
また、設備制御システム３は、例えばユーザへ割当てられている席（エリア）情報から、ユーザが入室した該当セキュリティゾーンのネットワーク機器電源を起動させるものとすることができる。また、設備制御システム３は、逆に、入退出管理システム２から、該当セキュリティゾーンにユーザがいないことを確認できた際は、自動的に該当セキュリティゾーンのネットワーク機器の電源を切るものとすることができる。これらによれば、ユーザ情報と、ユーザの物理約な位置情報、建物設備情報および、ネットワーク機器の設置位置情報をあらかじめ紐付けておくことで、エリア毎のネットワーク機器制御が可能となる。
【００６３】
また、本発明の実施形態によれば次の効果を得ることができる。すなわち、使用していないネットワーク機器の電源を切ることで省エネルギー化が図れる。また、入退出管理システムと連携することで、ゾーンセキュリティ化が図れる。また、入退出管理システムと設備制御システムを連携することで、ユーザの席（エリア）情報に設置されている空調設備等を自動でＯＮ・ＯＦＦが可能となる。また、電源部に遮断装置を設けることで、通信設備等の設備における待機電力をほぼゼロにすることができる。
【００６４】
なお、本発明の実施の形態は、上記のものに限定されない。例えば、例えば位置情報データベース４０１と設備制御データベース３０１の構成の一部又は全部を統合したり、位置情報データベース４０１の一部又は全部の構成を設備制御システム３内に設けたり、あるいは複製したりといった変更が可能である。また、図１及び図２を参照して説明した各システム１、２及び４の構成や機能の一部を例えば設備制御システム３に取り込んだり、設備制御システム３の構成や機能の一部を例えば各システム１、２及び４の一部や全部に分散させて設けたりする等の変更を適宜行うことができる。
【符号の説明】
【００６５】
１００…ネットワークシステム
１…人事システム
２…入退出管理システム
３…設備制御システム
４…位置情報システム
５、７、８、９…通信線
６…フロアー
１０…電源線
１１〜１４…区画
２１〜２６…フロアースイッチ
３１〜３６…島ハブ
４１〜４８…電源
５１…空調
５２…照明
３０１…設備制御データベース
３０２…情報読込部
３０３…制御部
４０１…位置情報データベース
【図１】
2016072720.tif 000003
【図２】
2016072720.tif 000004